(57)【要約】【課題】着脱時の作業性を悪化させずに取付けが可能でしかも見栄えを向上し得るようにする。【解決手段】インストルメントパネル１１に、ブラケット２２を介して、電子機器装置２１を取付ける車両用電子機器装置取付部構造であって、ブラケット２２に、差込部３１と、位置決め穴３２とを設けると共に、インストルメントパネル１１の裏面に対して、ブラケット２２の差込部３１を下側から受入可能な受入部４５と、受入部４５に対する差込部３１の差込状態でブラケット２２の位置決め穴３２へ嵌合して差込部３１の受入部４５からの脱落を防止し仮保持可能な仮保持用突起部４６とを設けるようにしている。【選択図】図１
2007276638.tif 000002
【特許請求の範囲】
【請求項１】
インストルメントパネルに、ブラケットを介して、電子機器装置を取付ける車両用電子機器装置取付部構造において、
前記ブラケットに、差込部と、位置決め穴とを設けると共に、
前記インストルメントパネルの裏面に対して、前記ブラケットの差込部を下側から受入可能な受入部と、該受入部に対する差込部の差込状態で前記ブラケットの位置決め穴へ嵌合して前記差込部の受入部からの脱落を防止し仮保持可能な仮保持用突起部とを設けたことを特徴とする車両用電子機器装置取付部構造。
【発明の詳細な説明】
【技術分野】
【０００１】
この発明は、車両用電子機器装置取付部構造に関するものである。
【背景技術】
【０００２】
自動車などの車両には、車室内の前部にインストルメントパネルが設けられている。このインストルメントパネルに対し、電子機器装置が取付けられたものがある。
【０００３】
従来の電子機器装置取付部構造は、図４に示すように、インストルメントパネル１の上面に下方へ向けて凹んだ下向凹所２を形成し、この下向凹所２の内側で且つインストルメントパネル１の表面側となる部分に電子機器装置用取付座３を形成し、この電子機器装置用取付座３に対して金属製のブラケット４に取付けられた状態の電子機器装置を上方または斜め上方から着座し、ブラケット４を電子機器装置用取付座３にネジ５を用いて締結固定し、その後、この下向凹所２に目隠用蓋部材６を取付けることにより、電子機器装置や下向凹所２を隠すようにしている。
【０００４】
なお、ブラケットを用いた仮固定手段としては、特許文献１のようなものが知られている。
【特許文献１】特開２００４−２１９０２５号公報
【発明の開示】
【発明が解決しようとする課題】
【０００５】
しかしながら、上記車両用電子機器装置取付部構造では、着脱時の作業性を考慮して、インストルメントパネル１の表面側にブラケット４を介して電子機器装置を取付けるようにしていたが、このようにした場合、インストルメントパネル１に下向凹所２を形成する必要が生じると共に、下向凹所２を塞ぐ目隠用蓋部材６が必要になるため、見栄えが悪いという問題があった。
【課題を解決するための手段】
【０００６】
上記課題を解決するために、請求項１に記載された発明では、インストルメントパネルに、ブラケットを介して、電子機器装置を取付ける車両用電子機器装置取付部構造において、前記ブラケットに、差込部と、位置決め穴とを設けると共に、前記インストルメントパネルの裏面に対して、前記ブラケットの差込部を下側から受入可能な受入部と、該受入部に対する差込部の差込状態で前記ブラケットの位置決め穴へ嵌合して前記差込部の受入部からの脱落を防止し仮保持可能な仮保持用突起部とを設けたことを特徴としている。
【発明の効果】
【０００７】
請求項１の発明によれば、ブラケットに、差込部と、位置決め穴とを設けると共に、前記インストルメントパネルの裏面に対して、前記ブラケットの差込部を下側から受入可能な受入部と、該受入部に対する差込部の差込状態で前記ブラケットの位置決め穴へ嵌合して前記差込部の受入部からの脱落を防止し仮保持可能な仮保持用突起部とを設けたことにより、着脱時の作業性を悪化させずにインストルメントパネルの裏面側に電子機器装置を取付けることが可能となる。即ち、ブラケットの差込部をインストルメントパネルの裏面側に設けた受入部へ下側から差込ませることにより、取付位置を間違えないようにすることができる。また、受入部に対する差込部の差込状態で、ブラケットの位置決め穴へインストルメントパネル裏面側の仮保持用突起部が嵌合されることにより、電子機器装置の自重による脱落を防止し仮保持させることができる。以て、電子機器装置取付用凹所や目隠用部材を不要化して見栄えを向上することができる。
【発明を実施するための最良の形態】
【０００８】
着脱時の作業性を悪化させずに取付けが可能でしかも見栄えを向上し得るようにするという目的を、ブラケットに、差込部と、位置決め穴とを設けると共に、インストルメントパネルの裏面に対して、ブラケットの差込部を下側から受入可能な受入部と、受入部に対する差込部の差込状態でブラケットの位置決め穴へ嵌合して差込部の受入部からの脱落を防止し仮保持可能な仮保持用突起部とを設ける、という手段で実現した。
【実施例】
【０００９】
以下、本発明を具体化した実施例について、図示例と共に説明する。
【００１０】
図１〜図３は、この発明の実施例を示すものである。
【００１１】
まず、構成について説明すると、自動車などの車両には、車室内の前部にインストルメントパネル１１などの車室内装パネルが設けられている。このインストルメントパネル１１には、各種のものが存在するが、この場合には、樹脂製で所要の肉厚を有する単層のハードパネルとされている。また、このインストルメントパネル１１は、上下に分割されたうちのアッパパネルとされている。なお、本発明の構造が適用可能なインストルメントパネル１１は、任意である。
【００１２】
そして、このインストルメントパネル１１の後縁部には、その少なくとも一部分に、ほぼ車両後方１２へ向けて庇状に張出した庇状部分１３が形成されている。また、この庇状部分１３のすぐ下側には、その少なくとも一部分に、ほぼ車両前方１４へ向けて凹んだ凹部１５が折返形成されている。この場合、この凹部１５は、後面側に開口したボックス形状部１６を構成するものとされている。なお、この凹部１５は、インストルメントパネル１１の型抜方向との関係で、水平に対して若干前下がりに傾斜されている。
【００１３】
このようなインストルメントパネル１１に対し、電子機器装置２１が取付けられる。この電子機器装置２１は、通常、金属製のブラケット２２を介して、インストルメントパネル１１に間接的に取付けられる。この場合には、電子機器装置２１を、上記した凹部１５の部分に対して取付けるようにする。
【００１４】
ここで、上記ブラケット２２は、板厚がほぼ一定の金属平板を加工することによって構成されている。このブラケット２２は、電子機器装置２１を取付けるための横面部２３と、この横面部２３の後端側の部分をほぼ直角上方に曲げ加工して成る縦面部２５とを、主に備えている。この縦面部２５は、上記凹部１５のほぼ垂直な奥面部２４の裏面に対して当接固定可能なものとされる。
【００１５】
そして、上記凹部１５の奥面部２４には、ネジ２６を通すためのネジ挿通穴２７が貫通形成されると共に、ブラケット２２の縦面部２５におけるネジ挿通穴２７と対応する位置には、ネジ２６を螺着するためのネジ穴２８が形成される。
【００１６】
以上のような基本的な構成に対し、この実施例のものでは、上記したブラケット２２に、差込部３１と、位置決め穴３２とを設ける。
【００１７】
そのために、例えば、ブラケット２２の縦面部２５を３段の凸形状とする。そして、３段の凸形状をした縦面部２５の上部を狭幅導入部３５とし、中間部分を上記差込部３１とし、下部を広幅基部３６とする。狭幅導入部３５と差込部３１と広幅基部３６とは、それぞれほぼ上下方向へ延びる平行な両側面を有しており、狭幅導入部３５と差込部３１との間には、第一の段差部３７が形成され、差込部３１と広幅基部３６との間には、上下方向位置規制用ストッパ部３９として機能する第二の段差部３８が形成されている。各段差部３７，３８はそれぞれほぼ直角の段とされている。狭幅導入部３５は、車両前方１４へ若干屈曲されることにより、幅方向位置規制部４０とされている。縦面部２５の各コーナー部などには、適宜、アール加工などが施されている。
【００１８】
なお、上記ネジ穴２８は、差込部３１における幅方向４１のほぼ中央部分に形成される。また、位置決め穴３２は、差込部３１におけるネジ穴２８の両側部にほぼ等間隔で各１個ずつ設けられる。
【００１９】
一方、インストルメントパネル１１の裏面に対して、ブラケット２２の差込部３１を下側から受入可能な受入部４５と、この受入部４５に対する差込部３１の差込状態でブラケット２２の位置決め穴３２へ嵌合して差込部３１の受入部４５からの脱落を防止し仮保持可能な仮保持用突起部４６とを設ける。
【００２０】
この受入部４５は、凹部１５の奥面部２４の裏面側に設けられる。この受入部４５は、差込部３１の両側部をそれぞれ包持可能な平面視ほぼ内向きＬ字状をした一対の鍵型凸片４７によって構成されている。即ち、この鍵型凸片４７は、奥面部２４からほぼ車両前方１４へ向けて張出す一対の面外張出部４８と、各面外張出部４８の先端部からほぼ幅方向４１の内方へ向けて延びる横延長部４９とを有している。
【００２１】
ここで、面外張出部４８は、差込部３１の幅寸法とほぼ等しいかそれより若干広い間隔を有して設けられると共に、差込部３１の厚みとほぼ等しいかそれより若干長い張出量を有して突設される。また、横延長部４９は、狭幅導入部３５の幅寸法とほぼ等しいかそれより若干広いガイド用間隙５１を先端間に残して延設されている。
【００２２】
この横延長部４９の下部には前方へ向けて傾斜する導入テーパ部５２が屈曲形成されている。更に、鍵型凸片４７の横延長部４９における差込部３１との対向面には、差込部３１の背面を抑えて前後方向への位置規制を行うための前後方向位置規制用突部５３が突設されている。この前後方向位置規制用突部５３は、鍵型凸片４７の横延長部４９と、差込部３１の背面との間のクリアランスに相当する分の突出量を有してガタ付きを防止する。そして、凹部１５の奥面部２４における鍵型凸片４７の内側部分には、鍵型凸片４７を成形するための型抜穴５４が形成されている。この型抜穴５４は、作業時の覗き穴としての機能も有している。
【００２３】
なお、上記ネジ挿通穴２７は、凹部１５の奥面部２４における一対の鍵型凸片４７の間の幅方向４１の中央部分に形成される。また、上記位置決め穴３２と対応する仮保持用突起部４６は、ネジ挿通穴２７の両側部にほぼ等間隔で各１個ずつ設けられる。
【００２４】
次に、この実施例の作用について説明する。
【００２５】
インストルメントパネル１１に電子機器装置２１を取付ける場合、予めブラケット２２に電子機器装置２１を取付けておくようにする。そして、作業者は、インストルメントパネル１１の表面側から取付作業を行うものとする。
【００２６】
そして、作業者は、まず、電子機器装置２１が取付けられたブラケット２２を手に持ち、インストルメントパネル１１の裏面側へ取り回して、凹部１５に形成された型抜穴５４から覗きながら、手探りで凹部１５の裏面の受入部４５へブラケット２２の差込部３１を下側から差込むようにする。
【００２７】
この際、横延長部４９の下部に屈曲形成された導入テーパ部５２が差込部３１の導入を案内する。そして、横延長部４９の先端間に形成したガイド用間隙５１へ、車両前方１４へ若干屈曲された幅方向位置規制部４０としての狭幅導入部３５が入り込むことにより、ブラケット２２の幅方向４１に対する位置規制が行われる。また、差込部３１と広幅基部３６との間に形成された上下方向位置規制用ストッパ部３９としての第二の段差部３８が、受入部４５の下部に当って停止されることにより、差込部３１のそれ以上の差込みが規制される。更に、鍵型凸片４７の横延長部４９における差込部３１との対向面に突設形成した前後方向位置規制用突部５３が、差込部３１の背面を抑えることにより、前後方向への位置規制とガタ付き防止とが行われる。
【００２８】
こうして、受入部４５と差込部３１が差込まれると、凹部１５の裏面に設けた仮保持用突起部４６がブラケット２２の位置決め穴３２へ嵌合することにより、差込部３１の受入部４５からの脱落が防止され仮保持状態となる。こうして仮保持状態となったら、作業者は、ブラケット２２から手を離し、インストルメントパネル１１の表面側からネジ挿通穴２７へネジ２６を挿入し、工具を用いてネジ２６をネジ穴２８へ螺着する。以上により、凹部１５とブラケット２２が締結され、インストルメントパネル１１に対して電子機器装置２１が容易に取付けられる。
【００２９】
このように、この実施例によれば、ブラケット２２に、差込部３１と、位置決め穴３２とを設けると共に、インストルメントパネル１１の裏面に対して、ブラケット２２の差込部３１を下側から受入可能な受入部４５と、受入部４５に対する差込部３１の差込状態でブラケット２２の位置決め穴３２へ嵌合して差込部３１の受入部４５からの脱落を防止し仮保持可能な仮保持用突起部４６とを設けたことにより、着脱時の作業性を悪化させずにインストルメントパネル１１の裏面側に電子機器装置２１を取付けることが可能となる。
【００３０】
即ち、ブラケット２２の差込部３１をインストルメントパネル１１の裏面側に設けた受入部４５へ下側から差込ませることにより、目隠状態であっても取付位置を間違えないようにすることができる。
【００３１】
また、受入部４５に対する差込部３１の差込状態で、ブラケット２２の位置決め穴３２へインストルメントパネル１１裏面側の仮保持用突起部４６が嵌合されることにより、電子機器装置２１の自重による脱落を防止し仮保持させることができる。以て、容易に電子機器装置２１を取付けることができる。
【００３２】
以て、電子機器装置取付用凹所や目隠用部材を不要化して見栄えを向上することができる。
【００３３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３４】
【図１】本発明の実施例にかかる車両用電子機器装置取付部構造を示すインストルメントパネル裏面の斜視図である。
【図２】図１の要部を側方から見た縦断面図である。
【図３】図１の要部を上方から見た横断面図である。
【図４】従来例にかかる車両用電子機器装置取付部構造を示すインストルメントパネルを表面側から見た分解斜視図である。
【符号の説明】
【００３５】
１１  インストルメントパネル
２１  電子機器装置
２２  ブラケット
３１  差込部
３２  位置決め穴
４５  受入部
４６  仮保持用突起部
【図１】
2007276638.tif 000003
【図２】
2007276638.tif 000004
【図３】
2007276638.tif 000005
【図４】
2007276638.tif 000006